(57)【要約】【課題】静音性の向上した液体循環式温水暖房機を提供すること。【解決手段】熱媒体を加熱する加熱手段２と、加熱手段２に接続され、加熱手段２によって加熱された熱媒体が暖房端末３に向かって流れる暖房二次側往き管１１と、加熱手段２に接続され、暖房端末３から加熱手段２に向かって熱媒体が流れる暖房二次側戻り管１２と、暖房二次側戻り管１２の途中に設けられ、熱媒体を搬送するための暖房二次側ポンプ８と、を備え、前記暖房二次側ポンプに接続される前記暖房二次側戻り管の少なくとも一方を樹脂管で構成したので、暖房二次側ポンプ８駆動時の振動が低減され、騒音を抑制することができる。【選択図】図１
2015014375.tif 000002
【特許請求の範囲】
【請求項１】
熱媒体を加熱する加熱手段と、
前記加熱手段に接続され、前記加熱手段によって加熱された熱媒体が暖房端末に向かって流れる暖房二次側往き管と、
前記加熱手段に接続され、前記暖房端末から前記加熱手段に向かって前記熱媒体が流れる暖房二次側戻り管と、
前記暖房二次側戻り管の途中に設けられ、前記熱媒体を搬送するための暖房二次側ポンプと、を備え、
前記暖房二次側ポンプに接続される前記暖房二次側戻り管の少なくともいずれか一方を樹脂管で構成したことを特徴とする液体循環式温水暖房機。
【請求項２】
前記暖房二次側往き管と前記暖房二次側戻り管とを樹脂管で構成したことを特徴とする請求項１に記載の液体循環式温水暖房機。
【発明の詳細な説明】
【技術分野】
【０００１】
本発明は、暖房端末に液体を流通させて室内の暖房を行う液体循環式温水暖房機に関するものである。
【背景技術】
【０００２】
従来、この種の液体循環式温水暖房機には、ヒートポンプ熱源で加熱された温水を貯える貯湯タンク、貯湯タンクの温水と例えば床暖房パネル等の暖房端末を流れる温水とを熱交換させる暖房熱交換器を備えたものがある（例えば、特許文献１参照）。貯湯タンクと暖房熱交換器とは、暖房一次側往き管と暖房一次側戻り管とで接続されて、一次側回路を形成する。貯湯タンクに貯えられた温水は、暖房一次側往き管または暖房一次側戻り管に設けられた一次側ポンプによって搬送され、一次側回路を循環する。暖房端末に供給される温水が循環する二次側回路は、大気開放された膨張タンク７と、二次側の温水を循環させる暖房二次側ポンプ８とを備えている。暖房熱交換器において、暖房一次側ポンプで搬送され、一次側回路を循環する貯湯タンク内の温水と、暖房二次側ポンプで搬送され、二次回路を循環する温水とが熱交換し、二次側回路を流れる温水が加熱される。加熱された温水は、暖房端末を流れ、室内の暖房が行われる。暖房熱交換器としては、例えばプレート式熱交換器が用いられる。
【先行技術文献】
【特許文献】
【０００３】
【特許文献１】特開２００７−８５６６３号公報
【発明の概要】
【発明が解決しようとする課題】
【０００４】
しかしながら、前記従来構成では、温水が循環する回路を構成する配管に銅製の金属配管が使用されており、特に、温水の搬送量が多く、長時間駆動される暖房二次側ポンプの振動が金属配管に伝播して、振動が増幅されて騒音が発生するという課題を有していた。
【０００５】
本発明は、前記従来の課題を解決するもので、静音性が向上した液体循環式温水暖房機を提供することを目的とする。
【課題を解決するための手段】
【０００６】
前記従来の課題を解決するために、本発明の液体循環式温水暖房機は、熱媒体を加熱する加熱手段と、前記加熱手段に接続され、前記加熱手段によって加熱された熱媒体が暖房端末に向かって流れる暖房二次側往き管と、前記加熱手段に接続され、前記暖房端末から前記加熱手段に向かって前記熱媒体が流れる暖房二次側戻り管と、前記暖房二次側戻り管の途中に設けられ、前記熱媒体を搬送するための暖房二次側ポンプと、を備え、前記暖房二次側ポンプに接続される前記暖房二次側戻り管の少なくともいずれか一方を樹脂管で構成したことを特徴とする。
【０００７】
これにより、暖房二次側ポンプで発生した駆動時の振動が金属配管に伝播することを抑制することができる。
【発明の効果】
【０００８】
本発明によれば、静音性の向上した液体循環式温水暖房機を提供することができる。
【図面の簡単な説明】
【０００９】
【図１】本発明の液体循環式温水暖房機の概略構成図
【発明を実施するための形態】
【００１０】
第１の発明は、熱媒体を加熱する加熱手段と、熱媒体を加熱する加熱手段と、前記加熱手段に接続され、前記加熱手段によって加熱された熱媒体が暖房端末に向かって流れる暖房二次側往き管と、前記加熱手段に接続され、前記暖房端末から前記加熱手段に向かって前記熱媒体が流れる暖房二次側戻り管と、前記暖房二次側戻り管の途中に設けられ、前記熱媒体を搬送するための暖房二次側ポンプと、を備え、前記暖房二次側ポンプに接続される前記暖房二次側戻り管の少なくともいずれか一方を樹脂管で構成したことを特徴とする液体循環式温水暖房機である。
【００１１】
これにより、暖房二次側ポンプが駆動したときに発生する振動が金属配管まで伝播することを抑制し、騒音の発生を抑制して静音性に優れた液体循環指揮温水暖房機とすることができる。
【００１２】
第２の発明は、特に第１の発明において、前記暖房二次側往き管と前記暖房二次側戻り管とを樹脂管で構成したことを特徴とするものである。
【００１３】
これにより暖房二次側往き管および前記暖房二次側戻り管を樹脂管で構成して、暖房二次側ポンプが駆動したときに発生する振動の伝播をさらに抑制して、静音性をさらに向上させることができる。
【００１４】
以下、本発明の実施例について図面を参照して説明する。なお、この実施の形態によって本発明が限定されるものではない。
【００１５】
（実施の形態１）
図１は、本発明の実施の形態１における液体循環式温水暖房機の概略構成図である。本実施の形態の液体循環式温水暖房機は、貯湯タンク内の熱を利用して熱媒体を加熱し、加熱された熱媒体を暖房端末に流すことで、室内の暖房を行うものである。
【００１６】
以下、液体循環式温水暖房機が貯湯式給湯機に備えられた場合について説明する。
【００１７】
図１に示すように、貯湯式給湯機１００は、熱源機９０とタンクユニット８０とを備えている。
【００１８】
タンクユニット８０には、熱源機９０としてのヒートポンプ熱源機で加熱された温水を貯える貯湯タンク１が設けられている。熱源機９０と貯湯タンク１とは、温水が流れる配管によって互いに接続され、加熱回路を形成する。貯湯タンク１内の水を加熱する沸き上げ運転時には、貯湯タンク１の下部の水が、貯湯タンク１の下部に接続された入水管を流れて熱源機９０に流入し、熱源機９０で加熱された温水が、貯湯タンク１の上部に接続された出湯管へと流れて、貯湯タンク１の上部から貯湯タンク１内に流入する。入水管には、加熱回路内に湯水を循環させる循環ポンプ（図示せず）が設けられている。
【００１９】
また、タンクユニット８０には、床暖房パネル等の暖房端末３に供給する熱媒体を加熱するための暖房熱交換器（加熱手段）２が設けられている。暖房熱交換器２は、貯湯タンク１内に貯えられた温水と、暖房端末３を流れる熱媒体とを熱交換させて、熱媒体を加熱する。暖房熱交換器２としては、例えばプレート式熱交換器が用いられる。なお、本実施の形態では、暖房端末３を流れる熱媒体として、水道管から供給される水を使用している。
【００２０】
暖房熱交換器２と貯湯タンク１とは、暖房一次側往き管４と暖房一次側戻り管５とで互いに接続され、一次側回路を形成する。貯湯タンク１に貯えられた温水は、暖房一次側戻り管５に設けられた暖房一次側ポンプ６によって搬送され、一次側回路を貯湯タンク１の上部側から貯湯タンク１の下部側に向かって流れる。
【００２１】
また、タンクユニット８０には、一端が暖房熱交換器２に接続され、暖房熱交換器２で加熱された熱媒体が、暖房熱交換器２から暖房端末３に向かって流れる暖房二次側往き管１１と、一端が暖房熱交換器２に接続され、暖房端末３で放熱した熱媒体が、暖房端末３側から暖房熱交換器２に向かって流れる暖房二次側戻り管１２とが設けられている。暖房二次側往き管１１の他端は、タンクユニット８０に設けられた暖房往き接続口９に接続される。暖房二次側戻り管１２の他端は、タンクユニット８０に設けられた暖房戻り接続口１０に接続される。タンクユニット８０に設けられた暖房往き接続口９および暖房戻り接続口１０と暖房端末３とは熱媒体が流れる熱媒体配管によって接続され、暖房端末３、熱媒体配管、暖房二次側戻り管１２、暖房熱交換器２、暖房二次側往き管１１、熱媒体配管が環状に接続されて、二次側回路が形成される。
【００２２】
暖房二次側戻り管１２の途中には、大気開放された膨張タンク７と、暖房二次側ポンプ８とが、熱媒体の流れ方向に対してこの順に設けられている。暖房戻り接続口１０と膨張タンクとは、第１の暖房二次側戻り管１２ａによって接続され、膨張タンク７と暖房二次側ポンプ８の吸入側とは第２の暖房二次側戻り管１２ｂによって接続され、暖房二次側ポンプ８の吐出側と暖房熱交換器２とは第３の暖房二次側戻り管１２ｃによって接続される。すなわち、暖房二次側戻り管１２は、第１の暖房二次側戻り管１２ａ、第２の暖房二次側戻り管１２ｂ、第３の暖房二次側戻り管１２ｃを備えている。
【００２３】
膨張タンク７は、大気開放されているため、熱媒体が蒸発等することで膨張タンク７内の熱媒体の水位が減少する。膨張タンク７内の水位が減少した場合には、補給水弁１５を介して膨張タンク７へと給水できるようになっている。膨張タンク７内の水位の減少は、例えば、膨張タンク７内に設けた水位電極（図示せず）等を用いた水位検出手段で検出することができる。
【００２４】
暖房一次側ポンプ６によって一次側回路を流れる貯湯タンク１内の高温水と、暖房二次側ポンプ８によって二次側回路を流れる低温の熱媒体とは、暖房熱交換器２で熱交換を行い、二次側回路を流れる熱媒体は加熱される。
【００２５】
ここで、一般的に、暖房端末３に加熱された熱媒体を供給して室内の暖房を行う暖房運転は、長時間にわたって行われることが多い。そのため暖房二次側ポンプ８は、暖房運転中には連続して駆動している。本実施の形態では、暖房運転中に暖房二次側ポンプ８で発生する振動が金属配管などに伝播して発生する騒音を抑制するため、暖房二次側ポンプ８に直接接続される第２の暖房二次側戻り管１２ｂと第３の暖房二次側戻り管１２ｃとの少なくともいずれか一方を、樹脂製の配管（樹脂管）で構成している。樹脂管は銅製の金属配管等と比較して縦弾性係数が小さいため、暖房運転中に暖房二次側ポンプ８で発生した振動が伝播することを抑制し、騒音の発生を抑制させることができる。
【００２６】
なお、第２の暖房二次側戻り管１２ｂと第３の暖房二次側戻り管１２ｃとの双方を樹脂管で構成してもよい。さらに、第２の暖房二次側戻り管１２ｂ、第３の暖房二次側戻り管１２ｃに加え、第１の暖房二次側戻り管１２ａおよび暖房二次側往き管１１を樹脂管で構成してもよい。これにより、暖房二次側ポンプ８が駆動する際に発生した振動の伝播を抑制し、騒音の発生をさらに抑制することができる。
【産業上の利用可能性】
【００２７】
本発明によれば、液体循環式温水暖房機の静音性を向上させることができるので、業務用、家庭用の液体循環式温水暖房機として適用することができる。
【符号の説明】
【００２８】
１  貯湯タンク
２  暖房熱交換器（加熱手段）
３  暖房端末
４  暖房一次側往き管
５  暖房一次側戻り管
６  暖房一次側ポンプ
７  膨張タンク
８  暖房二次側ポンプ
９  暖房往き接続口
１０  暖房戻り接続口
１１  暖房二次側往き管
１２  暖房二次側戻り管
１２ａ  第１の暖房二次側戻り管
１２ｂ  第２の暖房二次側戻り管
１２ｃ  第３の暖房二次側戻り管
１５  補給水弁
【図１】
2015014375.tif 000003